(57)【要約】【課題】  扉本体と扉枠の間に隙間を予め設けなくても扉本体と扉枠との間に手指が挟まれた際に強く圧迫を受けないようにすることが可能な指詰め防止用開き扉装置を提供する。【解決手段】  扉枠１１の一方側端部に開閉可能に扉本体１３を取付ける長丁番１２は、扉枠１１に固定される枠側取付け片１５と、枠側取付け片１５にピン１６を介して回動自在に連結され扉本体１３に取付けられる扉側取付け片１８を有し、枠側取付け片１５は、閉じた状態の扉本体１３と実質的に平行に、上下方向に並べて形成された取付け孔２０、２１及びねじ金具１９を介して扉枠１１に取付けられ、しかも、最上部の取付け孔２０を除く他の取付け孔２１は、横方向に延びる長孔となって、扉本体１３が扉枠１１に対して最上部の取付け孔２０に挿通されたねじ金具１９を中心に傾動可能となっている。【選択図】        図６
2006002403.tif 000002
【特許請求の範囲】
【請求項１】
扉枠に丁番を介して開閉する扉本体を固定した指詰め防止用開き扉装置において、
前記扉本体を閉じた場合に、該扉本体を前記丁番の最上部のねじ金具を中心にして、前記扉本体の側端部と前記扉枠との間に隙間を形成するように、傾動可能としたことを特徴とする指詰め防止用開き扉装置。
【請求項２】
扉枠と、該扉枠の一方側に長丁番を介してその端部が開閉可能に取付けられる扉本体とを備え、前記長丁番は、前記扉枠に固定される枠側取付け片と、該枠側取付け片にピンを介して回動自在に連結され前記扉本体に取付けられる扉側取付け片とを有する指詰め防止用開き扉装置において、
前記枠側取付け片は、閉じた状態の前記扉本体と実質的に平行に、上下方向に並べて形成された複数の取付け孔及び該各取付け孔を挿通するねじ金具を介して前記扉枠に取付けられ、
しかも、複数の前記取付け孔のうち最上部の取付け孔を除く他の取付け孔は、横方向に延びる長孔となって、前記扉本体が前記扉枠に対して前記最上部の取付け孔に挿通された前記ねじ金具を中心に傾動可能となっていることを特徴とする指詰め防止用開き扉装置。
【請求項３】
請求項２記載の指詰め防止用開き扉装置において、前記扉本体及び前記扉枠のいずれか一方には、該扉本体が前記最上部の取付け孔に挿通された前記ねじ金具を中心に傾動するのを助長する傾動助長手段が設けられていることを特徴とする指詰め防止用開き扉装置。
【請求項４】
請求項１〜３のいずれか１項に記載の指詰め防止用開き扉装置において、前記扉本体の下部には、該扉本体と共に移動しながら該扉本体の荷重の一部を支える自在輪及び転動体のいずれか一方を備えた荷重支持手段が設けられていることを特徴とする指詰め防止用開き扉装置。
【発明の詳細な説明】
【技術分野】
【０００１】
本発明は、扉本体を丁番の最上部のねじ金具を中心にして傾動可能にして、扉枠と扉本体との間に指が挟まれた際に指に強い圧迫力が加わるのを防止する指詰め防止用開き扉装置に関する。
【背景技術】
【０００２】
従来の開き扉では、扉枠の一方の側端部に固定された２個以上の丁番を対向する扉本体の端部に固定することにより、扉本体を扉枠に取付けている。このとき、扉本体に固定される丁番の扉側取付け片と、扉枠に固定される丁番の枠側取付け片とは、枢軸を介して回動可能に連結し、扉本体が扉枠内に閉じられた際に密着する構成となっている。このような開き扉の構成では、開かれた状態の扉本体が風や不注意によって急に閉じられる場合、扉本体と扉枠の端部の間に手指が残されていると、手指が扉本体と扉枠の間に挟まれて、手指に怪我をするという問題が生じる。
このため、扉側取付け片と枠側取付け片を連結する枢軸を太くした丁番を用いて扉本体を扉枠に取付け、扉本体が閉じられた際に扉本体と扉枠の間に少なくとも１０ｍｍ以上の隙間が形成される指詰め対策用ドアが提案されている（例えば、特許文献１参照）。
【０００３】
【特許文献１】特開平１０−７２９７２号公報
【発明の開示】
【発明が解決しようとする課題】
【０００４】
しかしながら、特許文献１に記載された指詰め対策用ドアでは、扉本体が扉枠内に閉じられた際に、扉本体と扉枠の間に少なくとも１０ｍｍ以上の隙間が形成されているため、梃子棒（バール）の先部が容易に挿入でき扉が抉じ開けられ易くなるという問題が生じる。
また、扉本体の開閉に支障が生じないように、隙間を覆うカバーを扉本体及び扉枠のいずれか一方に設けることもできるが、カバーにより手指が挟まれるという新たな問題が生じる可能性が高く好ましくない。
【０００５】
本発明はかかる事情に鑑みてなされたもので、扉本体と扉枠との間に隙間を予め設けなくても扉本体と扉枠との間に手指が挟まれた際に強い圧迫が加わらないようにすることが可能な指詰め防止用開き扉装置を提供することを目的とする。
【課題を解決するための手段】
【０００６】
前記目的に沿う請求項１記載の指詰め防止用開き扉装置は、扉枠に丁番を介して開閉する扉本体を固定した指詰め防止用開き扉装置において、
前記扉本体を閉じた場合に、該扉本体を前記丁番の最上部のねじ金具を中心にして、前記扉本体の側端部と前記扉枠との間に隙間を形成するように、傾動可能としている。
【０００７】
前記目的に沿う請求項２記載の指詰め防止用開き扉装置は、扉枠と、該扉枠の一方側に長丁番を介してその端部が開閉可能に取付けられる扉本体とを備え、前記長丁番は、前記扉枠に固定される枠側取付け片と、該枠側取付け片にピンを介して回動自在に連結され前記扉本体に取付けられる扉側取付け片とを有する指詰め防止用開き扉装置において、
前記枠側取付け片は、閉じた状態の前記扉本体と実質的に平行に、上下方向に並べて形成された複数の取付け孔及び該各取付け孔を挿通するねじ金具を介して前記扉枠に取付けられ、
しかも、複数の前記取付け孔のうち最上部の取付け孔を除く他の取付け孔は、横方向に延びる長孔となって、前記扉本体が前記扉枠に対して前記最上部の取付け孔に挿通された前記ねじ金具を中心に傾動可能となっている。
【０００８】
請求項３記載の指詰め防止用開き扉装置は、請求項２記載の指詰め防止用開き扉装置において、前記扉本体及び前記扉枠のいずれか一方には、該扉本体が前記最上部の取付け孔に挿通された前記ねじ金具を中心に傾動するのを助長する傾動助長手段が設けられている。
【０００９】
請求項４記載の指詰め防止用開き扉装置は、請求項１〜３記載の指詰め防止用開き扉装置において、前記扉本体の下部には、該扉本体と共に移動しながら該扉本体の荷重の一部を支える自在輪及び転動体のいずれか一方を備えた荷重支持手段が設けられている。
【発明の効果】
【００１０】
請求項１及びこれに従属する請求項４記載の指詰め防止用開き扉装置においては、扉本体が丁番の最上部のねじ金具を中心にして傾動可能になっているので、扉本体と扉枠の間に手指が挟まれて手指に圧迫力が加わると、挟まれた手指から扉本体に反作用力が加わって扉本体を扉枠に対して傾動することができ、扉本体と扉枠の間に隙間が形成されて手指に強い圧迫力が加わるのを防止することができ、手指の怪我を防止することが可能になる。
【００１１】
請求項２及びこれに従属する請求項３、４記載の指詰め防止用開き扉装置においては、最上部の取付け孔を除く他の取付け孔は横方向に延びる長孔で扉本体が長丁番の最上部のねじ金具を中心にして傾動可能になっているので、扉本体と扉枠の間に手指が挟まれた際の反作用力で扉本体を容易に傾動させて扉本体と扉枠の間に隙間を形成することができ、手指の怪我を確実に防止することが可能になる。
【００１２】
特に、請求項３記載の指詰め防止用開き扉装置においては、扉本体の傾動を助長する傾動助長手段が設けられているので、扉本体が傾動を開始するのに必要な手指からの反作用力を小さくすることができ、手指の安全性を確保することが可能になる。
【００１３】
請求項４記載の指詰め防止用開き扉装置においては、扉本体の下部には荷重支持手段が設けられているので、最上部のねじ金具に加わる荷重を軽減して小さな力で扉本体を傾動することができ、扉本体が傾動を開始するのに必要な手指からの反作用力を更に小さくすることが可能になる。その結果、手指の安全性を更に確保することが可能になる。また、最上部のねじ金具に加わる荷重が軽減されることから、丁番又は長丁番の寿命を延長することが可能になる。
【発明を実施するための最良の形態】
【００１４】
続いて、添付した図面を参照しつつ、本発明を具体化した実施の形態につき説明し、本発明の理解に供する。
ここで、図１（Ａ）、（Ｂ）は本発明の一実施の形態に係る指詰め防止用開き扉装置の正面図、及び背面図、図２は図１（Ａ）の矢視Ｐ−Ｐ断面図、図３は同指詰め防止用開き扉装置の長丁番の説明図、図４は同指詰め防止用開き扉装置の扉枠に設けられた傾動助長手段の説明図、図５は同指詰め防止用開き扉装置の扉本体に設けられた自在輪を備えた荷重支持手段の説明図、図６は同指詰め防止用開き扉装置において扉本体が扉枠に対して傾動した際の状態を示す説明図である。
【００１５】
図１〜図３に示すように、本発明の一実施の形態に係る指詰め防止用開き扉装置１０は、例えば、木製の扉枠１１と、扉枠１１の一方側端部に長丁番１２を介してその端部が開閉可能に取付けられる、例えば、木製の扉本体１３を有している。以下これらについて、詳細に説明する。
長丁番１２は、扉枠１１の一方側の上端から下端の範囲に設けられた受け金具１４を介して固定される長尺の枠側取付け片１５を有している。また、長丁番１２は、枠側取付け片１５にピン１６を介して回動自在に連結されると共に、扉枠１１の一方側に対向する扉本体１３の側端部の上端から下端の範囲に複数の固定ねじ１７を用いて直接取付けられる長尺の扉側取付け片１８を有している。更に、枠側取付け片１５には、枠側取付け片１５を受け金具１４に取付ける複数のねじ金具１９がそれぞれ挿通する取付け孔２０、２１が上下方向に並べて形成されている。そして、最上部に設けられた取付け孔２０は丸孔で、他の取付け孔２１は横方向に延びる長孔となっている。
なお、図１（Ａ）、（Ｂ）に示すように、枠側取付け片１５は、閉じた状態の扉本体１３と実質的に平行になるように、扉枠１１の一方側端部に取付けられている。これによって、扉本体１３の表側（扉本体１３を閉じた際の外側）には、扉本体１３と扉枠１１の間に隙間が形成されないようにすることができる。
【００１６】
受け金具１４は、扉枠１１の一方側の上端から下端の範囲に複数の第１の取付けねじ２２を用いて固定され、載置された枠側取付け片１５を支える台座２３を有している。更に、受け金具１４は、一端側が上下方向に並べて設けた第２の取付けねじ２４を用いて台座２３に密着固定され他端側が載置された枠側取付け片１５に被さる抑え部２５を有している。そして、台座２３にはねじ金具１９に螺合する雌ねじ部２６が上下方向に並べて形成され、抑え部２５には台座２３に固定した際に、各雌ねじ部２６の位置に応じてねじ金具１９を挿通可能にする挿通孔２７が上下方向に並べて形成されている。更に、抑え部２５の表側の両端部には、受け金具１４を覆うカバー２８を掛止する掛止部２９が設けられている。
【００１７】
このような構成とすることにより、扉枠１１の一方側端部に固定した台座２３に抑え部２５を固定して形成される溝部３０に枠側取付け片１５を挿入することができる。そして、挿通孔２７、取付け孔２０、２１、及び雌ねじ部２６が連通するように枠側取付け片１５の位置を調整し、ねじ金具１９を座金３１を介して挿通孔２７及び取付け孔２０、２１に挿通させて雌ねじ部２６に螺合することにより、枠側取付け片１５を扉枠１１の一方側に取付けることができ、扉本体１３は最上部の取付け孔２０に挿通したねじ金具１９を支点として傾動可能な状態になる。なお、取付けに使用したねじ金具１９及び第２の取付けねじ２４は、カバー２８により覆うことができる。
【００１８】
なお、枠側取付け片１５に取付け孔２０、２１を形成する際、取付け孔２０、２１の扉側取付け片１８側の端部位置を揃えて形成している。これによって、扉本体１３を扉枠１１の一方側端部に取付けた際に、扉本体１３の水平方向位置を扉枠１１に対して規制することが容易にできる。このため、扉本体１３が取付け孔２０に挿通したねじ金具１９を支点として傾動可能な状態になっていても、扉本体１３を扉枠１１内で支障なく開閉することができる。
また、取付け孔２０に挿通しているねじ金具１９と取付け孔２０との間、及び取付け孔２１に挿通しているねじ金具１９と取付け孔２１との間にはそれぞれ隙間が形成されているが、取付け孔２０とねじ金物１９との間の隙間はねじ金物１９の挿通を可能にするだけの大きさとなっているのに対して、取付け孔２１とねじ金物１９との間の隙間は横方向に大きくなっている。このため、取付け孔２１に挿通しているねじ金物１９に対して、取付け孔２１を介して枠側取付け片１５をずらすことができる。
【００１９】
ここで、扉枠１１の内周上部と扉本体１３の上端部との間には、隙間Ｌ（例えば、１０〜２０ｍｍ）が形成されている。そして、扉枠１１の内周上部には、例えば、ゴム製の中空シール部材３２が設けられている。これによって、取付け孔２０に挿通したねじ金具１９を支点に傾動可能な状態の扉本体１３と扉枠１１の間に形成された隙間Ｌを中空シール部材３２で塞ぐことができると共に、中空シール部材３２が潰れることにより扉本体１３を取付け孔２０に挿通されたねじ金具１９を中心に扉枠１１に対して傾動させることができる。
なお、扉本体１３の傾動角度は、各取付け孔２１に挿通しているねじ金具１９と取付け孔２１との間に形成される隙間の大きさを変化させることにより調整できる。特に、挿通したねじ金具１９の側面と取付け孔２１の下側内周面との間の隙間Ｃ（例えば、２〜５ｍｍ）、及び挿通したねじ金具１９の側面と取付け孔２１の扉側取付け片１８とは反対側の内周面との間の隙間Ｄ（例えば、５〜１０ｍｍ）を確保することが重要となる。
【００２０】
扉本体１３の表側（外側）において、扉側取付け片１８が取付けられていない側の中央部よりやや下方の位置には、扉本体１３の開閉に使用する縦長の外側把手３３が設けられている。また、扉本体１３において、扉側取付け片１８が取付けられていない側の中央部よりやや下方の位置の端部には、閉じた状態の扉本体１３を扉枠１１側にロックする図示しない第１及び第２の錠が設けられ、外側把手３３の両端部には各錠の開閉動作を行なう鍵を挿入する第１及び第２の鍵穴３４、３５が設けられている。更に、扉本体１３の表側において、扉側取付け片１８が取付けられた側には図示しない第３の錠が設けられ、第３の錠の開閉動作を行なう鍵を挿入する第３の鍵穴３６が扉本体１３の扉側取付け片１８が取付けられた側の中央部よりやや下方の位置に設けられている。
一方、扉本体１３の裏側（内側）においては、外側把手３３に対向する位置に内側把手３７が設けられ、内側把手３７の両端部には第１及び第２の錠の各開閉動作を行なう第１及び第２の操作つまみ３８、３９が設けられ、第３の鍵穴３６に対向する位置には第３の錠の開閉動作を行なう第３の操作つまみ４０が設けられている。
【００２１】
図４に示すように、扉枠１１の枠側取付け片１５が設けられた側の端部の下部には、例えば、全開された扉本体１３が開き角度４５°となった時点で先部が扉側取付け片１８に当接し、閉じられる扉本体１３に対して開く方向の押圧力を継続して加える円弧状押圧ピン４１を備えた傾動助長手段４２が設けられている。ここで、円弧状押圧ピン４１は、扉側取付け片１８に当接する当接部４３と、当接部４３に接続し拡径した基部４４を有し、円弧状押圧ピン４１は、基部４４が嵌入可能な断面積を備え扉枠１１の扉側取付け片１８に対向する側端部に形成した円弧状の装入穴４５にバネ４６を介して収納されている。更に、装入穴４５の出口側には当接部４３のみを挿通可能にするストッパー４８が設けられている。
このような構成とすることにより、扉本体１３が４５°を超えて開けられた状態では、円弧状押圧ピン４１はバネ４６で付勢されて装入穴４５内をストッパー４８側に移動し、基部４４とストッパー４８が当接した状態となって、当接部４３がストッパー４８の貫通孔４７から突出した状態になる。
【００２２】
そして、扉本体１３が閉じられて開き角度が４５°以下になると、円弧状押圧ピン４１の当接部４３が扉側取付け片１８に当接するようになるため、扉本体１３が完全に閉じられるまで扉本体１３には円弧状押圧ピン４１を介して扉本体１３が開かれる方向に押圧力が加えられる状態になる。このため、扉本体１３の開き角度が４５°以下の状態では、扉本体１３に対して、最上部の取付け孔２０に挿通されたねじ金具１９を中心に扉本体１３を傾動させる傾動のモーメントを作用させることができる。その結果、扉本体１３を取付け孔２０に挿通されたねじ金具１９を中心に傾動させようとするとき、扉本体１３の重量に相当する力より小さな力を加えるだけで、扉本体１３を傾動させることができる。
なお、バネ４６のバネ定数が大き過ぎると実際に扉本体１３が傾動して扉本体１３の開閉に支障をきたす。このため、バネ４６のバネ定数は、扉本体１３が傾動しないような範囲、例えば、実際に傾動を生じさせる傾動のモーメントの８０〜９８％となるように設定する。
【００２３】
図５に示すように、扉本体１３の下端部において、その中央よりも扉側取付け片１８が設けられた側に寄った位置には、扉本体１３と共に移動しながら扉本体１３の荷重の一部を支える自在輪４９を備えた荷重支持手段５０が設けられている。
ここで、自在輪４９は扉本体１３の下端部に切り欠き部５１を形成し、切り欠き部５１の切り欠き底５２に複数の止めねじ５３を介して取付けられている。そして、自在輪４９は、扉本体１３の開閉動作に追従しながら床面上を走行することができ、扉本体１３が閉じられた際には扉枠１１の下部材５４上で待機することがでる。このため、荷重支持手段５０を設けても、扉本体１３の開閉を支障なく行なうことができる。
【００２４】
次に、本発明の一実施の形態に係る指詰め防止用開き扉装置１０の使用方法について説明する。
指詰め防止用開き扉装置１０においては、扉本体１３の開き角度が４５°以下になると、扉枠１１の一方側端部の下部に設けられた傾動助長手段４２の円弧状押圧ピン４１の先側４３が扉側取付け片１８に当接する。これによって、扉本体１３には、扉本体１３が完全に閉じられるまで円弧状押圧ピン４１を介して扉本体１３が開かれる方向に押圧力が加えられ、扉本体１３に傾動のモーメントＰが作用する。しかし、傾動のモーメントＰは単独で扉本体１３を傾動させるような大きさではないので、自然状態では傾動することなく扉本体１３は扉枠１１に対して、水平方向位置が規制されて、取付け孔２０、２１に挿通したねじ金具１９で取付けられている。このため、扉本体１３は扉枠１１と接触することはなく、扉本体１３は従来の開き扉と同様に自由に開閉動作を行なうことができる。
【００２５】
いま、扉本体１３が開き角度が、例えば、９０°になるように開けられて、扉枠１１の枠側取付け片１５が設けられた側の端部とこれに対向する扉本体１３の扉側取付け片１８が設けられた側の端部との間に手指が置かれた状態で、不注意で扉本体１３が急に閉じられたとする。そして、開き角度が減少して４５°以下になると、扉本体１３を取付け孔２０に挿通されたねじ金具１９を中心に傾動させる傾動のモーメントＰが発生するようになる。しかし、傾動助長手段４２からの傾動のモーメントＰは単独で扉本体１３を傾動させるような大きさではないので、扉本体１３は傾動せず、扉本体１３の開き角度は減少していく。
開き角度が更に減少して手指が扉枠１１と扉本体１３との間で圧迫される状態になると、挟まれた手指から扉本体１３に反作用力が加わる。これによって、扉本体１３には、扉本体１３を取付け孔２０に挿通されたねじ金具１９を中心に傾動させる傾動のモーメントＱが発生する。その結果、扉本体１３には、傾動助長手段４２からの傾動のモーメントＰと挟まれた手指の反作用力に基づく傾動のモーメントＱが重なり合って作用することになる。
【００２６】
扉本体１３を取付け孔２０に挿通されたねじ金具１９を中心に傾動させるのに必要な傾動のモーメントをＲとすると、扉本体１３に作用する全傾動のモーメントＰ＋ＱがＲになった時点で、扉本体１３の傾動が開始する。ここで、Ｐを、例えば、０．８Ｒ〜０．９８Ｒに設定しておくと、Ｑが０．２Ｒ〜０．０２Ｒ、すなわち、実際に扉本体１３が傾動を開始する傾動のモーメントの２〜２０％の大きさで傾動を起こさせることができる。そして、取付け孔２０に挿通されたねじ金具１９を中心に扉本体１３の傾動が開始すると、図６に示すように、各取付け孔２１に挿通しているねじ金具１９に対して各取付け孔２１が相対的にずれることにより、受け金具１４に対して枠側取付け片１５が傾動する。
その結果、扉枠１１に対して扉本体１３が傾動し、扉枠１１の枠側取付け片１５が設けられた側の端部とこれに対向する扉本体１３の扉側取付け片１８が設けられた側の端部との間に隙間が形成され、手指に加わる圧迫力の上昇が防止される。このため、手指の怪我を防止することが可能になる。
【００２７】
以上、本発明の実施の形態を説明したが、本発明は、この実施の形態に限定されるものではなく、発明の要旨を変更しない範囲での変更は可能であり、前記したそれぞれの実施の形態や変形例の一部又は全部を組み合わせて本発明の指詰め防止用開き扉装置を構成する場合も本発明の権利範囲に含まれる。
例えば、取付け孔に挿通するねじ金具の径をすべて同一にしたが、最上部の取付け孔に挿通するねじ金具の径だけを大きくしてもよい。これによって、最上部の取付け孔に挿通するねじ金具の変形を抑制して長丁番の寿命を長くすることができる。また、傾動助長手段を扉枠の枠側取付け片が設けられた側の端部の下部に設けたが、扉本体に所定の傾動力が加えられるようにすれば（本実施の形態ではバネのバネ定数を調整すれば）、下部以外の側端部に設けることも、傾動助長手段を扉本体側に設けることも可能である。また、自在輪を備えた荷重支持手段を設けたが、転動体を備えた荷重支持手段を設けてもよい。
【００２８】
本実施の形態では、扉枠に長丁番を介して扉本体を取付けたが、扉枠に複数の丁番を用いて扉本体を取付けるようにしてもよい。この場合、最上部に取付ける丁番の最上部の取付け孔のみを丸孔とし残りの取付け孔は長孔とし、他の丁番の取付け孔は全て長孔とする。
本実施の形態では、第１〜第３の錠を設けたが、これらの錠は任意の１箇所の錠を鍵で開閉すると残りの錠も連動して開閉する形式の錠（集中錠）としてもよい。また、第１及び第２の錠を設けるようにすることもできる。この場合も、これらの錠は集中錠とすることができる。
【図面の簡単な説明】
【００２９】
【図１】（Ａ）、（Ｂ）は本発明の一実施の形態に係る指詰め防止用開き扉装置の正面図、及び背面図である。
【図２】図１（Ａ）の矢視Ｐ−Ｐ断面図である。
【図３】同指詰め防止用開き扉装置の長丁番の説明図である。
【図４】同指詰め防止用開き扉装置の扉枠に設けられた傾動助長手段の説明図である。
【図５】同指詰め防止用開き扉装置の扉本体に設けられた自在輪を備えた荷重支持手段の説明図である。
【図６】同指詰め防止用開き扉装置において扉本体が扉枠に対して傾動した際の状態を示す説明図である。
【符号の説明】
【００３０】
１０：指詰め防止用開き扉装置、１１：扉枠、１２：長丁番、１３：扉本体、１４：受け金具、１５：枠側取付け片、１６：ピン、１７：固定ねじ、１８：扉側取付け片、１９：ねじ金具、２０、２１：取付け孔、２２：第１の取付けねじ、２３：台座、２４：第２の取付けねじ、２５：抑え部、２６：雌ねじ部、２７：挿通孔、２８：カバー、２９：掛止部、３０：溝部、３１：座金、３２：中空シール部材、３３：外側把手、３４：第１の鍵穴、３５：第２の鍵穴、３６：第３の鍵穴、３７：内側把手、３８：第１の操作つまみ、３９：第２の操作つまみ、４０：第３の操作つまみ、４１：円弧状押圧ピン、４２：傾動助長手段、４３：当接部、４４：基部、４５：装入穴、４６：バネ、４８：ストッパー、４９：自在輪、５０：荷重支持手段、５１：切り欠き部、５２：切り欠き底、５３：止めねじ、５４：下部材
【図１】
2006002403.tif 000003
【図２】
2006002403.tif 000004
【図３】
2006002403.tif 000005
【図４】
2006002403.tif 000006
【図５】
2006002403.tif 000007
【図６】
2006002403.tif 000008